(57)【要約】【課題】予約番組の放送時間の急な変更に対して、放送中の番組内の延長を告げるテロップ表示等を検知し、放送時刻の変更を検知し、録画予約時刻を抽出し、自動的に録画予約の変更を行う。【解決手段】本発明の番組録画装置は、ユーザストレージ部４と、番組の録画予約に係るデータが蓄積されたユーザ情報メモリ制御部３と、放送中の番組内のテロップ表示から自動的に録画予約時刻を抽出し、放送開始時刻及び終了時刻の変更を検出する変更検出部５と、この抽出された放送開始時刻及び終了時刻の変更に基づいて上記ユーザ情報メモリ制御部３の番組の録画予約に係るデータを更新し、当該更新されたデータに基づいてユーザストレージ部４の所定のストレージエリアへの録画を行うように制御する制御部２とを具備する。【選択図】    図１
2004282222.tif 000002
【特許請求の範囲】
【請求項１】
複数のストレージエリアからなるストレージ手段と、
少なくとも番組の録画予約に係るデータが蓄積された記憶手段と、
放送中の番組内のテロップ表示から自動的に録画予約時刻を抽出し、放送開始時刻及び終了時刻の変更を検出する変更検出手段と、
上記変更検出手段により放送開始時刻及び終了時刻の変更が検出された場合には、記憶手段の番組の録画予約に係るデータを更新し、当該更新されたデータに基づいてストレージ手段の所定のストレージエリアへの録画を行うように制御する制御手段と、
を具備することを特徴とする番組録画装置。
【請求項２】
上記変更検出手段は、画像データより抽出された文字データと定型フォーマットとを比較し、放送開始時刻及び放送終了時刻の変更を検出することを更に特徴とする請求項１に記載の番組録画装置。
【請求項３】
ＮＴＳＣ信号を画像データに変換する画像変換手段を更に有し、当該画像変換手段により所定時間連続して得られた画像データの連続したフレームについて所定領域内の文字データを抽出し、当該文字データと定型フォーマットとを比較し、放送開始時刻及び放送終了時刻の変更を検出することを更に特徴とする請求項１に記載の番組録画装置。
【請求項４】
ユーザ端末と番組録画装置とがネットワークを介して通信自在に構成された番組録画システムにおいて、
上記番組録画装置は、
複数のストレージエリアからなるストレージ手段と、
上記ユーザ端末から送信された番組の録画予約に係るデータを蓄積する記憶手段と、
放送中の番組内のテロップ表示から自動的に録画予約時刻を抽出し、放送開始時刻及び終了時刻の変更を検出する変更検出手段と、
上記変更検出手段により放送開始時刻及び終了時刻の変更が検出された場合には、記憶手段の番組の録画予約に係るデータを更新し、当該更新されたデータに基づいてストレージ手段の所定のストレージエリアへの録画を行い、上記ユーザ端末からの命令に従い録画されたデータのダウンロード及び削除の少なくともいずれかを実行するように制御する制御手段と、
を具備することを特徴とする番組録画システム。
【請求項５】
ユーザ端末と番組録画装置とがネットワークを介して通信自在に構成された番組録画システムによる番組録画方法において、
変更検出手段により、放送中の番組内のテロップ表示から自動的に録画予約時刻を抽出し、放送開始時刻及び終了時刻の変更を検出し、
制御手段により、上記変更検出手段により放送開始時刻及び終了時刻の変更が検出された場合には、記憶手段の番組の録画予約に係るデータを更新し、当該更新されたデータに基づいてストレージ手段の所定のストレージエリアへの録画を行い、上記ユーザ端末からの命令に従い録画されたデータのダウンロード及び削除の少なくともいずれかを実行するように制御する、
ことを特徴とする番組録画方法。
【発明の詳細な説明】
【０００１】
【発明の属する技術分野】
本発明は、例えば番組の放送時間の変更に対応した番組録画機能を組み込むことで、録画予約を行った番組の放送時刻が変更となっても、当該変更に基づいて自動的に録画予約に係る放送開始時刻、放送終了時刻等を更新して適確に録画を行う番組録画装置、番組録画システム、番組録画方法に関する。
【０００２】
【従来の技術】
従来、番組の録画予約を行う場合には、番組放送前に番組録画装置に必要な情報（放送日、放送開始時刻、終了時刻、放送チャネル等）を登録し、当該番組録画装置に塔載されている計時機能で時限管理を行い、放送開始時刻になった時点で録画を開始し、放送終了時刻になった時点で録画を停止することが一般的になされている。この場合、番組録画が開始されると録画予約内容を変更することはできず、登録された番組終了時刻に録画が終了することになる。
【０００３】
そのため、従来技術では、録画予約後に予約対象番組が放送時間を延長（例えば、野球中継の延長等）した場合には、延長分の録画が不可能となる。また、録画予約された番組よりも放送時刻の早い番組が放送時刻を繰り下げた場合には一度手動により録画登録を解除し、再度番組予約をする必要がある。
【０００４】
このように、従来技術では、放送時刻の変更があった場合でも、録画中は番組の録画予約の内容を変更することができない。さらに、録画前であっても、録画予約された番組が放送される前までに一度手動で録画予約を解除して、新たな放送時刻を登録、即ち録画予約を更新する必要がある。ゆえに、放送中に番組が延長された場合や、外出中に放送時刻の変更を知らなかった場合、或いは手動による番組予約の変更が間に合わず放送が開始された場合等においては、希望の予約番組を完全に録画することができないといった問題が生じ得る。
【０００５】
ここで、特許文献１では、番組の放送時刻に変更があった場合に、受信側で番組放送のスケジュールに関する情報を受信し、それに基づいて受信予定時刻を変更し、タイマ録画時においても予約した番組を正確に受信し、録画する放送番組受信・記録装置等に関する技術が開示されている。
【０００６】
【特許文献１】
特開２０００−２７０２８８号公報
【０００７】
【発明が解決しようとする課題】
しかしながら、上記特許文献１に係る技術は、放送局から番組の放送に関する情報、放送時刻が変更になったことを示す識別コード等を受信し、視聴者側で当該情報に基づいて予め定められている放送記録予定を組み替え、組み替えられた放送記録予定に基づいて放送番組を記録することを前提としている。
【０００８】
即ち、番組の放送時刻の変更に録画を対応させるためには、放送局側にも上記番組の放送に関する情報を送信する負担がかかり、更に受信側でも当該情報を受信し当該情報に基づいた処理負担がかかることになり、放送番組受信・記録装置等の構成も複雑となり、処理も煩雑であり、装置自体もコスト高となる。
【０００９】
一方、今日では、複数のユーザの各ユーザ自身が所望とする番組を録画するストレージを有するシステムを用いたサービスの実現が嘱望されているが、特許文献１に係る技術では、複数ユーザの番組録画、更には複数ユーザの複数の録画予約に係る番組の放送時刻の変更に係る制御は実現できない。
【００１０】
本発明は、上記問題に鑑みてなされたもので、その目的とするところは、予約番組の放送時間の急な変更に対して、放送中の番組内の延長を告げるテロップ表示等を検知して放送時刻の変更を検知し、録画予約時刻を抽出し、録画予約の変更を自動的に行うことができる、簡易構成で低コストな番組録画装置、及び複数ユーザの複数の録画予約に係る番組の放送時刻の変更にも更に対応した番組録画システム、番組録画方法を提供することにある。
【００１１】
【課題を解決するための手段】
上記目的を達成するために、本発明の第１の態様に係る番組録画装置は、複数のストレージエリアからなるストレージ手段と、少なくとも番組の録画予約に係るデータが蓄積された記憶手段と、放送中の番組内のテロップ表示から自動的に録画予約時刻を抽出し、放送開始時刻及び終了時刻の変更を検出する変更検出手段と、上記変更検出手段により放送開始時刻及び終了時刻の変更が検出された場合には、上記記憶手段の番組の録画予約に係るデータを更新し、当該更新されたデータに基づいてストレージ手段の所定のストレージエリアへの録画を行うように制御する制御手段と、を具備することを特徴とする。
【００１２】
この第１の態様に係る番組録画装置において、上記変更検出手段が、画像データより抽出された文字データと定型フォーマットとを比較し、放送開始時刻及び放送終了時刻の変更を検出するようにしてもよい。また、この第１の態様に係る番組録画装置において、ＮＴＳＣ信号を画像データに変換する画像変換手段を更に有し、上記変更検出手段により、当該画像変換手段により所定時間連続して得られた画像データの連続したフレームについて所定領域内の文字データを抽出し、当該文字データと定型フォーマットとを比較し、放送開始時刻及び放送終了時刻の変更を検出するようにしてもよい。
【００１３】
さらに、本発明の第２の態様に係る番組録画システムは、ユーザ端末と番組録画装置とがネットワークを介して通信自在に構成された番組録画システムにおいて、上記番組録画装置は、複数のストレージエリアからなるストレージ手段と、上記ユーザ端末から送信された番組の録画予約に係るデータを蓄積する記憶手段と、放送中の番組内のテロップ表示から自動的に録画予約時刻を抽出し、放送開始時刻及び終了時刻の変更を検出する変更検出手段と、上記変更検出手段により放送開始時刻及び終了時刻の変更が検出された場合には、上記記憶手段の番組の録画予約に係るデータを更新し、当該更新されたデータに基づいてストレージ手段の所定のストレージエリアへの録画を行い、上記ユーザ端末からの命令に従い録画されたデータのダウンロード及び削除の少なくともいずれかを実行するように制御する制御手段と、を具備することを特徴とする。
【００１４】
そして、本発明の第３の態様に係る番組録画方法は、ユーザ端末と番組録画装置とがネットワークを介して通信自在に構成された番組録画システムによる番組録画方法において、変更検出手段により、放送中の番組内のテロップ表示から自動的に録画予約時刻を抽出し、放送開始時刻及び終了時刻の変更を検出し、制御手段により、上記変更検出手段により放送開始時刻及び終了時刻の変更が検出された場合には、記憶手段の番組の録画予約に係るデータを更新し、当該更新されたデータに基づいてストレージ手段の所定のストレージエリアへの録画を行い、上記ユーザ端末からの命令に従い録画されたデータのダウンロード及び削除の少なくともいずれかを実行するように制御する、ことを特徴とする。
【００１５】
【発明の実施の形態】
以下、図面を参照して、本発明の実施形態について説明する。
【００１６】
先ず、図１には本発明の一実施形態に係る番組録画システムの構成を示し説明する。この番組録画システムは、例えばインターネット等のネットワークを経由してテレビ番組の録画予約や録画、ダウンロードを行い、番組再生を適宜可能とするものである。さらに、この番組録画システムは、予約番組の放送時間の急な変更に対して、放送中の番組内の延長を告げるテロップ表示等を検知し、放送時刻の変更を検知し、録画予約時刻を抽出し、自動的に録画予約の変更を行うものである。以下、これら特徴点をふまえて詳述する。
【００１７】
この図１に示されるように、この番組録画システムは、データセンタ部１とユーザ端末７ａ，７ｂ，・・・７ｚ（以下、符号７で総称する）がインターネット等のネットワーク６を介して通信自在に接続され、構成されている。尚、このデータセンタ部１は、請求項記載の番組録画装置の一例に相当する。
【００１８】
そして、上記データセンタ部１は、当該データセンタ部１全体の制御を司る制御部２と、ユーザ情報メモリ制御部３、ユーザストレージ部４、変更検出部５からなる。このユーザストレージ部４は、契約ユーザ別に賃貸される複数のストレージエリアで構成されている。各ストレージエリアへのアクセスは、契約ユーザだけが行えるものとし、他のユーザのアクセスは禁止される。
【００１９】
また、ユーザ情報メモリ制御部３は、例えばユーザ別に番組の録画予約、ストレージエリア内の番組データの管理、ダウンロードを行うための情報管理データベース、及び当該情報管理データベースを制御する制御部からなる。
【００２０】
さらに、変更検出部５は、放送中の番組内のテロップ表示等から自動的に録画予約時刻を抽出し、放送開始時刻及び終了時刻を変更するためのものであり、キャプチャー部５ａ、文字認識部５ｂ、バッファ部５ｃ、文字抽出部５ｄ、テロップの定型フォーマット蓄積部５ｅ、録画予約変更部５ｆからなる。
【００２１】
尚、請求項記載の制御手段とは上記制御部２等に相当し、記憶手段とはユーザ情報メモリ制御部３等に相当し、ストレージ手段とは上記ユーザストレージ部４等に相当し、変更検出手段とは上記変更検出部５等に相当する。
【００２２】
このような構成において、画像変換手段としてのキャプチャー部５ａは放送番組に係るＮＴＳＣの放送信号を受け、デジタルの画像データに変換する。文字認識部５ｂは、このキャプチャー部５ａによりキャプチャーされた画像データについて文字認識、文字抽出（例えば、テロップ表示の検出）を行う。
【００２３】
バッファ部５ｃは、この抽出された文字データ等を一時的に蓄積する。文字抽出部５ｄは、このバッファ部５ｃに蓄積されている文字データと定型フォーマット蓄積部５ｅに蓄積されている定型フォーマット（具体例は図６で後述する）とを比較し、変更の放送開始時刻及び放送終了時刻を抽出する。
【００２４】
録画予約変更部５ｆは、ユーザ情報メモリ制御部３の情報管理データベースに記憶されている録画予約に係るデータを、文字抽出部５ｄで抽出された放送開始時刻及び終了時刻に変更するための命令を制御部２に送る。制御部２は、この録画予約変更部５ｆからの命令を受けて、ユーザ情報メモリ制御部３の情報管理データベースに記憶されている録画予約に係る放送開始時刻及び終了時刻の変更を行う。また、この制御部２は、ユーザストレージ部４の各ユーザのストレージエリアに蓄積された録画データのダウンロード、削除等の制御も併せて行う。
【００２５】
以下、図２乃至図５のフローチャートを参照して、本発明の実施形態に係る番組録画システムによる各種動作の流れを説明する。
【００２６】
先ず、図２のフローチャートを参照して、録画予約の動作について説明する。
【００２７】
ユーザによりユーザ端末７にて予約操作がされると、当該操作に係るデータがインターネット等のネットワーク６を介してデータセンタ部１の制御部２に送られる（＃１）。制御部２は、このユーザ端末７からのデータを受けると、録画予約に係る制御を行う。具体的には、ユーザ情報メモリ制御部３に対して、録画予約に係る命令を送る（＃２）。ユーザ情報メモリ制御部３は、この制御部２からの命令を受けると、命令に該当するユーザ情報の検出を行い（＃３）、録画予約登録を行う（＃４）。以上で、録画予約の動作を終了する。
【００２８】
次に、図３のフローチャートを参照して、録画時間の延長、繰り下げの動作について説明する。変更検出部５において、テロップ表示等が検出されて録画番組の前番組の延長、繰り下げ等が検出されると（＃１１）、制御部２に対して延長或いは繰り下げを指示する命令が送られることになる（＃１２）。制御部２は、ユーザ情報メモリ制御部３の情報管理データベースを参照し、この命令を受けると当該命令に該当する番組予約を検出し（＃１３）、ユーザ情報メモリ制御部３に対して該当する番組予約の変更を指示する命令を送る（＃１４）。ユーザ情報メモリ制御部３は、この命令を受けると、該当する番組予約の変更を行う（＃１５）。以上で、録画時間の延長、繰り下げ変更の動作を終了する。
【００２９】
次に、図４のフローチャートを参照して、録画の動作について説明する。
【００３０】
先ず、ユーザ情報メモリ制御部３は、情報管理データベースの録画予約に関する情報、番組に関する情報等を参照して、録画を開始すべきタイミングを検知すると、当該検知情報を制御部２に送る（＃２１）。制御部２は、該当ユーザのストレージエリアでの録画を開始すべく、ユーザストレージ部４に録画開始に係る命令を送る（＃２２）。この命令を受けると、ユーザストレージ部４は、該当ユーザのストレージエリアにて録画を開始する（＃２３）。
【００３１】
一方、ユーザ情報メモリ制御部３は、情報管理データベースの録画予約に関する情報、番組に関する情報等を参照して、録画を終了すべきタイミングを検知すると、当該検知情報を制御部２に送る（＃２４）。制御部２は、該当ユーザのストレージエリアでの録画を終了すべく、ユーザストレージ部４に録画終了に係る命令を送る（＃２５）。この命令を受けると、ユーザストレージ部４は、該当ユーザのストレージエリアでの録画を終了する（＃２６）。
【００３２】
次に、図５のフローチャートを参照して、ダウンロードの動作について説明する。ユーザによりユーザ端末７が操作され、ダウンロードが指示されると、当該指示に係るデータがネットワーク６を介してデータセンタ部１の制御部２に送信される（＃３１）。このデータを受けると、制御部２は、ユーザ情報メモリ制御部３の情報管理データベースを参照して該当ユーザを検出し（＃３２）、ダウンロード要求をすべき命令をユーザストレージ部４に送る（＃３３）。ユーザストレージ部４は、この命令を受けると、ダウンロードを開始し（＃３４）、所望とされる画像データが全てユーザ端末７に送られるとダウンロードを終了する（＃３５）。
【００３３】
ここで、実施の形態に係る番組録画システムが採用する、延長又は繰り下げの検出、変更後の放送開始／終了時刻の検出について更に詳細に説明する。
【００３４】
一般に、放送時間変更を知らせるテロップ表示は、放送中のテレビ映像に極力影響しないように画面の隅である画面上部又は下部に表示される。これに点に鑑みて、本実施形態に係る番組録画システムでは、キャプチャー部５ａでキャプチャーされた画像データの上部と下部を文字認識部５ｂがスキャンしてテロップ表示の検出を行う。そして、図６（ａ）乃至（ｂ）に示されるようなテロップに係る定型フォーマットを用いて文字抽出部５ｄが文字抽出を行う。
【００３５】
なお、図６（ａ）は延長／画面上部に係る定型フォーマットを示しており、図６（ｂ）は延長／画面下部に係る定型フォーマットを示しており、図６（ｃ）は繰下げ／画面上部に係る定型フォーマットを示しており、図６（ｄ）は繰下げ／画面下部に係る定型フォーマットを示している。これら定型フォーマットは、あくまでも一例であり、これらには限定されないことは勿論である。
【００３６】
ここで、ＮＴＳＣ信号は１秒間に２９．９７フレーム表示される。そして、テロップ表示は１，２分間連続してなされるため、デジタル画像データの画面の上部又は下部に１分間であれば２９．９７フレーム、２分間であれば５９．９４フレーム連続表示されることになる。そこで、連続しているフレームの上部又は下部に表示されている文字を抽出し、その抽出して得られた文字と表示テロップに係る定型フォーマットとの比較を行い、第１にテロップ表示の判別、第２に延長又は繰り下げの判別、第３に変更後の放送時刻の判別、を行う。
【００３７】
以下、図７（ａ）乃至（ｄ）を参照して、延長又は繰り下げの検出、変更後の放送開始／終了時刻の検出について、具体例を挙げて詳細に説明する。
【００３８】
いま、図７（ａ）に示されるように、放送中の画面に番組の繰下げを示唆するテロップ表示がなされたものとする。尚、放送中の画像データは、図７（ｄ）に示されるように、例えば１，２分といった所定時間だけ蓄積されている。
【００３９】
キャプチャー部５ａにてキャプチャーされた画像データは、文字認識部５ｂにおいて文字認識等され、文字データ等はバッファ部５ｃに適宜蓄積される。そして、文字抽出部５ｄは、この蓄積された文字データを適宜読み出し、前述したような図６（ａ）乃至（ｄ）の定型フォーマットを用いて、図７（ｂ），（ｃ）に示されるように画面の上部又は下部のテロップ表示の文字を認識する。この例では、画面の上部にテロップ表示がなされ、当該テロップ表示は番組の繰下げを示唆するものであることから、図６（ｃ）の定型フォーマットに基づき、番組名や繰り下げ時間等が検出され、録画予約変更部に当該情報が送られる。
【００４０】
最後に、図８のフローチャートを参照して、実施形態に係る番組録画システムによる実行される番組録画方法を詳細に説明する。以下の説明では、先に示した図１の番組録画システム構成を同一符号をもって適宜参照する。
【００４１】
先ず、ユーザ端末７が操作されることにより、制御部２の制御の下、ユーザ情報メモリ制御部３の情報管理データベースの該当ユーザ領域に録画予約情報が登録される（ステップＳ１）。
【００４２】
アンテナを介してＮＴＳＣの放送信号が受信されると、変更検出部５においてキャプチャー部５ａによりＮＴＳＣの放送信号からデジタルの画像データへの変換がなされ（ステップＳ２）、文字認識部５ｂにより先ずは画面上部のスキャンが行われる（ステップＳ３）。そして、放送時刻変更のテロップ表示が存在するか否かが判断され（ステップＳ４）、存在する場合にはステップＳ７に移行する。
【００４３】
一方、放送時刻変更のテロップ表示が存在しない場合には、文字認識部５ｂにより画面下部のスキャンが行われ（ステップＳ５）、再び放送時刻変更のテロップ表示が存在するか否かが判断される（ステップＳ６）。そして、放送時刻変更のテロップ表示が存在すると判断された場合にはステップＳ７に移行し、当該テロップ表示が存在しないと判断された場合にはステップＳ１７に移行する。
【００４４】
ステップＳ７では、文字認識部５ｂがテロップ表示を抽出する。そして、文字抽出部５ｄがテロップの定型フォーマット蓄積部５ｅに蓄積されている定型フォーマットと上記抽出された文字とを比較することで、テロップ内の「繰下げ」、「延長」等といった文字を抽出する（ステップＳ８）。そして、抽出された文字が「繰下げ」、「延長」のいずれであるかを判別することになる（ステップＳ９）。
【００４５】
このステップＳ９にて抽出された文字が「繰下げ」である場合には、文字抽出部５ｄは、放送開始時刻を抽出し（ステップＳ１０）、録画開始時刻を放送開始時刻とし（ステップＳ１１）、変更になった放送開始時刻と録画開始時刻との差から延長時間を算出し（ステップＳ１２）、録画終了時刻に延長時間を積算し放送終了時刻とする（ステップＳ１３）。一方、上記ステップＳ９にて抽出された文字が「延長」である場合には、文字抽出部５ｄは延長時間を抽出し（ステップＳ１４）、録画開始時刻に延長時間を積算して録画開始時刻とし（ステップＳ１５）、録画終了時刻に延長時間を積算して録画終了時刻とする（ステップＳ１６）。
【００４６】
次いで、制御部２は、ユーザ情報メモリ制御部３の情報管理データベースの該当ユーザ領域の録画予約情報を変更し（ステップＳ１７）、放送開始に伴い（ステップＳ１８）、番組録画を開始し（ステップＳ１９）、ユーザストレージ部４にある該当ユーザのストレージ部分に保存する（ステップＳ２０）。その後、ユーザ端末７により録画番組がダウンロードされると（ステップＳ２１）、再生可能となる。
【００４７】
ところで、本発明の実施形態に係る番組録画装置、システム、方法によれば、番組延長がなされた場合に、録画中であっても番組の終了時刻に応じて録画終了時刻を自動的に変更することも可能である。
【００４８】
以下、図９のフローチャートを参照して、当該変更例の動作を詳細に説明する。
【００４９】
番組画面が表示され（ステップＳ３１）、前述した図８のステップＳ２乃至Ｓ８と同様に、ステップＳ３２乃至Ｓ３８では、変更検出がなされる。次いで、変更検出により、抽出された文字が「延長」であるか否かを判別することになる（ステップＳ３９）。抽出された文字が「延長」である場合には、文字抽出部５ｄは延長時間を抽出し（ステップＳ４０）、録画終了時刻に延長時間を積算して録画終了時刻とし（ステップＳ４１）、ユーザ情報メモリ制御部３の情報管理データベースにある該当ユーザ領域の録画予約情報を変更し（ステップＳ４２）、ユーザストレージ部４にある該当ユーザのストレージ部分に保存する（ステップＳ４３）。
【００５０】
こうして放送終了までステップＳ３２乃至Ｓ４３の動作を繰り返し（ステップＳ４４）、放送終了となると、番組終了となり（ステップＳ４５）、録画番組がダウンロードされると（ステップＳ４６）、再生可能となる。
【００５１】
以上説明したほか、本発明の実施形態に係る番組録画システム及び方法によれば、予約番組よりも放送時間の早い番組が延長又は繰下げ等されることにより当該予約番組の放送時間が変更された場合であっても、自動的に録画開始／終了時刻を変更し、自動的且つ確実に予約番組を録画することもできる。
【００５２】
以上、本発明の実施形態について説明したが、本発明はこれに限定されることなく、その主旨を逸脱しない範囲で種々の改良、変更が可能である。例えば、上記実施の形態では、テロップ表示を検出し、自動的に録画予約に係る放送開始時刻及び終了時刻を変更するように制御していたが、テロップ表示に限定されることなく、種々の放送時刻変更を示唆する情報に基づいて同様の制御を行うことが可能であることは勿論である。
【００５３】
【発明の効果】
本発明によれば、予約番組の放送時間の急な変更に対して、放送中の番組内の延長を告げるテロップを検知し、放送時刻の変更を検知し、録画予約時刻を抽出し、自動的に録画予約の変更を行うことができる、簡易な構成且つ低コストな番組録画装置、及び複数ユーザの複数の録画予約に係る番組の放送時刻の変更にも対応した番組録画システム、番組録画方法を提供することができる。
【図面の簡単な説明】
【図１】本発明の一実施形態に係る番組録画システムの構成図である。
【図２】本発明の一実施形態に係る番組録画システムによる録画予約の動作を示すフローチャートである。
【図３】本発明の一実施形態に係る番組録画システムによる録画時間の延長、繰り下げの動作を示すフローチャートである。
【図４】本発明の一実施形態に係る番組録画システムによる録画の動作を示すフローチャートである。
【図５】本発明の一実施形態に係る番組録画システムによるダウンロードの動作を示すフローチャートである。
【図６】本発明の一実施形態に係る番組録画システムが採用する、延長又は繰り下げの検出、変更後の放送開始／終了時刻の検出についての説明図である。
【図７】本発明の一実施形態に係る番組録画システムが採用する、延長又は繰り下げの検出、変更後の放送開始／終了時刻の検出の具体例に係る説明図である。
【図８】本発明の一実施形態に係る番組録画システムによる実行される番組録画方法を詳細に説明するためのフローチャートである。
【図９】本発明の一実施形態の改良例に係る番組録画システムによる実行される番組録画方法を詳細に説明するためのフローチャートである。
【符号の説明】
１・・・データセンタ部、２・・・制御部、３・・・ユーザ情報メモリ制御部、４・・・ユーザストレージ部、５・・・変更検出部、６・・・ネットワーク、７・・・ユーザ端末。
【図１】
2004282222.tif 000003
【図２】
2004282222.tif 000004
【図３】
2004282222.tif 000005
【図４】
2004282222.tif 000006
【図５】
2004282222.tif 000007
【図６】
2004282222.tif 000008
【図７】
2004282222.tif 000009
【図８】
2004282222.tif 000010
【図９】
2004282222.tif 000011